(57)【要約】【課題】浴槽の外面側に形成される閉鎖空間が多湿環境化するのを防止する。【解決手段】浴槽底部１ａに設けた排水口２と下地材１０の副排水口４とを浴槽排水管３で接続する。洗い場床部２０領域の主排水口６に設けた主トラップ部材７と、副排水口４に設けた副トラップ部材５とを、連通管９で通水可能に連絡する。副トラップ部材５に浴槽排水管３を接続する蓋部材１１に通水管１５を垂設し、この通水管１５の通水路１５ａが、取付蓋４の上面部から封水１２内まで至るように設定した。これにより、副トラップ部材５内に貯留される封水１２と、浴槽１外面の前記閉鎖空間Ｃとの接触面積は、通水路１５ａの断面積だけとなるから、前記閉鎖空間Ｃ内へ蒸散する水蒸気量を非常に少なく抑えられる。また、何らかの理由で下地材１０に溜まる水を、上記取付蓋１１の通水管１５を通じて副トラップ部材５へ排出できる。【選択図】      図２
2005240351.tif 000002
【特許請求の範囲】
【請求項１】
浴槽の少なくとも底部を含む外面と、この浴槽が設置される防水パン等の下地材との間に形成される閉鎖空間内において、浴槽底部に形成された浴槽排水口と前記下地材に形成された副排水口とが浴槽排水管で連絡され、洗い場に形成され主排水管が接続される主排水口に設けた主トラップ部材と、前記副排水口に設けた副トラップ部材とが、連通管で連絡されてなる排水構造であって、前記副排水口に前記浴槽排水管を接続するための取付蓋が装着され、該取付蓋に、その上面部から前記副トラップ部材に貯留される封水内に至る通水管が垂設されていることを特徴とする浴槽排水構造。
【請求項２】
前記取付蓋の通水管における通水路は、上端開口部の開口面積よりも、下端開口部の開口面積が小さくなるように設定されている請求項１に記載の浴槽排水構造。
【発明の詳細な説明】
【技術分野】
【０００１】
本発明は、浴室に設置した浴槽の下面側に形成される閉鎖空間が、多湿環境になるのを防止するための技術に関する。
【背景技術】
【０００２】
特許文献１に、防水パン上に据え置かれた浴槽の水を排出する排水構造として、防水パンに浴槽パントラップを設け、この浴槽パントラップと浴槽排水口とを浴槽排水管で接続する。そして、浴槽パントラップと、洗い場の排水口に設けた洗い場パントラップとを、排水管で接続する構造が提案されている。
【０００３】
なお特許文献１に記載される排水構造では、浴槽パントラップの流入開口部に、浴槽排水管を接続するための蓋部材が装着されている。そして、この蓋部材に、浴槽の下面側において防水パン上を流れる水を浴槽パントラップへ流出させるための通水孔が多数形成されている。
【特許文献１】特開２００３−２５３７２２公報
【発明の開示】
【発明が解決しようとする課題】
【０００４】
特許文献１に記載される浴槽の排水構造にあっては、浴槽パントラップの蓋部材が多数の通水孔を有しているので、浴槽パントラップに貯留される封水から蒸発した水蒸気が、上記通水孔を通って、浴槽の底部下面と防水パンとの間の閉鎖された空間へ蒸散する。特に、排出する湯の温度が高いときは、上記閉鎖空間に多量の湯気がこもる場合がある。その結果、上記閉鎖空間が多湿環境になり、黴の発生や雑菌の繁殖を招くおそれがあった。
【課題を解決するための手段】
【０００５】
前記従来の問題点に鑑み、本発明が採用する浴槽排水構造の特徴とするところは、浴槽の少なくとも底部を含む外面と、この浴槽が設置される防水パン等の下地材との間に形成される閉鎖空間内において、浴槽底部に形成された浴槽排水口と前記下地材に形成された副排水口とが浴槽排水管で連絡され、洗い場に形成され主排水管が接続される主排水口に設けた主トラップ部材と、前記副排水口に設けた副トラップ部材とが、連通管で連絡され、前記副排水口に前記浴槽排水管を接続するための取付蓋が装着され、該取付蓋に、その上面部から前記副トラップ部材に貯留される封水内に至る通水管を垂設したことである。
【０００６】
なお、前記浴槽排水構造において、前記取付蓋の通水管における通水路を、上端開口部の開口面積よりも、下端開口部の開口面積が小さくなるように設定してもよい。
【発明の効果】
【０００７】
本発明の請求項１に係る浴槽排水構造は、前記副排水口に前記浴槽排水管を接続する取付蓋に通水管を垂設し、この通水管を、取付蓋の上面部から副トラップ部材に貯留される封水内に至るように構成したので、副トラップ部材に貯留される封水と、浴槽の外面側に形成される閉鎖空間との接触面積は、上記通水管における通水路の断面積に制限される。従って、副トラップ部材の封水から閉鎖空間への水の蒸発量を非常に少なく抑えることができるから、閉鎖空間が多湿環境化するのが抑止され、黴が発生したり雑菌が繁殖したりするのが防止される。また、何らかの理由で下地材上に水が溜まることがあっても、この水を取付蓋の通水路から副トラップ部材へ排出することが可能である。
【０００８】
また、洗い場の主排水口だけでなく、下地材に形成される副排水口にもトラップ部材を設けたので、浴槽排水口から浴槽内への臭気の逆流が防止される。さらに、主排水口の主トラップ部材と副排水口の副トラップ部材とを連通管で連通させたので、主トラップ部材内に水封を形成するための水を、浴槽排水によって供給することができる。
【０００９】
本発明の請求項２に係る浴槽排水構造によれば、取付蓋の通水管における通水路を、上端開口部の開口面積よりも、下端開口部の開口面積が小さくなるように設定したので、副トラップ部材の封水と閉鎖空間との接触面積を一層小さく設定できるので、閉鎖空間が多湿環境下するのを抑止する効果が向上する。しかも、通水路における上端側の開口面積は大きくできるから、下地材に溜まる水の排出効率は損なわれない。
【発明を実施するための最良の形態】
【００１０】
図１は、本発明に係る排水構造が適用される浴槽の施工状況を例示する図面である。同図に示す如く、基礎Ｆに設置した防水パン等下地材１０上に浴槽１が据え置かれ、該浴槽１の前面側にはエプロン３０が装着され、後方縁部には躯体壁面Ｗに取り付けた壁仕上げ材４０が立設されている。従って、浴槽底部１ａの下面を含む浴槽外面と、下地材１０との間の空間は、エプロン３０と躯体壁面Ｗとによって区画された実質的な閉鎖空間Ｃとなっている。
【００１１】
浴槽１の底部１ａに設けられた排水口２には浴槽排水管３の一端が接続され、該浴槽排水管３の他端は、下地材１０に設けられた副排水口４に接続されている。この副排水口４には、水封を形成するための副トラップ部材５が取り付けられている。また本例の下地材１０は、洗い場床部２０を構築する領域を有するものであって、同領域に洗い場床部２０に流された水を排出するための主排水口６が形成され、この主排水口６に封水形成用の主トラップ部材７が設けられている。そして、主トラップ部材７には、主排水管８が接続されると共に、前記副トラップ部材５と通水可能に連絡するための連通管９が接続されている。
【００１２】
図２に示す如く、副トラップ部材５に浴槽排水管３を接続するため、副排水口４には蓋部材１１が装着される。本発明は、この蓋部材１１に通水管１５を垂設し、この通水管１５の通水路１５ａが、取付蓋４の上面部から封水１２内まで至るように設定したことを特色としている。従って、副トラップ部材５内に貯留される封水１２と、浴槽１外面の前記閉鎖空間Ｃとの接触面積は、通水路１５ａの断面積だけとなるから、前記閉鎖空間Ｃ内へ蒸散する水蒸気量を非常に少なく抑えられる。よって、閉鎖空間Ｃが多湿環境化するのを確実に防止することが出来る。また、何らかの理由で下地材１０に溜まる水を、上記取付蓋１１の通水管１５を通じて副トラップ部材５へ排出できる。なお、副排水口４に設けた副トラップ部材５は、浴槽排水口２に装着した栓体１ｂを開いたときに、排水管から悪臭が浴槽１内へ逆流するのを防止する機能を発揮する。
【００１３】
ところで、本発明は、副トラップ部材５と主トラップ部材７とを連通管９で連絡する構成を採用したから、浴槽１からの排水によって、副トラップ部材５の封水１２及び主トラップ部材７の封水１３に水を補給することができる。しかも本例では、主トラップ部材７における主排水管８が接続される流出口７ｂの下端レベル７ｃを、連通管９の上端レベル９ａよりも低くならないように設定したので、主トラップ部材７に貯留される封水１３が副トラップ部材５内へ流動することが出来る。従って、浴槽１からの排水が長期間行われなかったとしても、洗い場における排水があれば、副トラップ部材５の封水への水の補給がなされるから、封水切れを回避することが可能である。
【００１４】
なお本例では、流出口７ｂの下端レベル７ｃと、連通管９の上端レベル９ａとをほぼ一致させたので、副トラップ部材５の封水１２の水位があまり高くならないようにすることができ、それ故、副トラップ部材５のコンパクト化を図れる。また主トラップ部材７の底部レベル７ａを、副トラップ部材５の底部レベル５ａ以下となるように設定したから、主トラップ部材７の封水が優先して確保され、主排水管８から洗い場への悪臭の逆流を確実に防止する。
【００１５】
本発明に係る浴槽排水構造は、図３に示す如く、前記取付蓋１１の通水管１５における通水路１５ａの形態を、上端開口部の開口面積よりも、下端開口部の開口面積が小さくなるように設定することができる。具体的には、封水１２の貯留水位までは通水路１５ａの断面積を小さいままに設定し、封水１２の水位より上方位置で通水路１５ａの断面積が拡大するように設定することが考えられる。
【００１６】
かかる構成により、通水路１５ａにおける下端開口部の開口面積は小さく設定されるので、副トラップ部材５に貯留した封水と、閉鎖空間Ｃとの接触面積は、比較的小さいままに保持できる。従って、閉鎖空間Ｃが多湿環境下するのを抑止する効果は損なわれない。しかも、通水路１５ａの上端開口部の開口面積が大きく設定されるので、下地材１０に溜まる水の排出効率は向上する。
【図面の簡単な説明】
【００１７】
【図１】本発明に係る排水構造が適用される浴槽の施工状況の一例を示す側面断面図である。
【図２】本発明に係る浴槽排水構造の一実施形態を示す側面断面図である。
【図３】本発明に係る浴槽排水構造の他の実施形態を示す側面断面図である。
【符号の説明】
【００１８】
Ｃ…閉鎖空間  Ｆ…基礎  Ｗ…躯体壁面  １…浴槽  １ａ…浴槽底部  ２…浴槽排水口  ３…浴槽排水管  ４…副排水口    ５…副トラップ部材  ５ａ…底部レベル  ６…主排水口  ７…主トラップ部材  ７ａ…底部レベル  ７ｂ…流出口  ７ｃ…下端レベル  ８…主排水管  ９…連通管  １０…下地材    １１…蓋部材  １５…通水管  １５ａ…通水路
【図１】
2005240351.tif 000003
【図２】
2005240351.tif 000004
【図３】
2005240351.tif 000005